(57)【要約】【課題】内蔵されるモータとして小型省電力タイプのものを採用しうるプリンタを提供する。【解決手段】筐体（２）と、この筐体（２）内に収容された感光性記録媒体（３０）を露光するためのプリントヘッド（４）と、上記感光性記録媒体（３０）を上記筐体（２）の外部に排出するための排出手段（５）と、を備えたプリンタ（１）であって、上記排出手段（５）による上記感光性記録媒体（３０）の排出動作は、手動により行うことが可能に構成されていることを特徴とする。【選択図】　図１
2004017620.tif 000002
【特許請求の範囲】
【請求項１】
筐体と、この筐体内に収容された感光性記録媒体を露光するためのプリントヘッドと、上記感光性記録媒体を上記筐体の外部に排出するための排出手段と、を備えたプリンタであって、
上記排出手段による上記感光性記録媒体の排出動作は、手動により行うことが可能に構成されていることを特徴とする、プリンタ。
【請求項２】
上記排出手段は、上記感光性記録媒体を狭圧可能な一対のローラと、操作用部材とを備えており、かつ上記操作用部材が一定の操作をなされることにより上記一対のローラが上記感光性記録媒体を搬送可能に回転する構成とされている、請求項１に記載のプリンタ。
【請求項３】
上記操作用部材は、ラックが形成され、かつこのラックの形成方向に移動可能な操作バーを備えており、
上記一対のローラは、上記ラックとかみ合うピニオンギヤに連結され、上記操作バーが移動操作されることにより回転可能である、請求項２に記載のプリンタ。
【請求項４】
上記感光性記録媒体は、上記一対のローラの一側方にセッティングされるように構成されており、
上記排出手段は、上記操作用部材の操作によって一定方向に移動し、かつこの移動時には上記感光性記録媒体を上記一対のローラ間に送り込むように上記感光性記録媒体の搬送動作を行う可動部材をさらに備えている、請求項２または３に記載のプリンタ。
【請求項５】
上記プリントヘッドを上記感光性記録媒体の面方向に移動させるためのモータを備えている、請求項１ないし４のいずれかに記載のプリンタ。
【発明の詳細な説明】
【０００１】
【発明の属する技術分野】
本願発明は、感光方式によって感光性記録媒体に画像をプリントするプリンタに関する。
【０００２】
【従来の技術】
デジタルカメラなどにより撮影した電子画像は、そのデジタルデータを用いてインクジェット方式や熱転写方式により、普通紙に対して印刷することができる。一方、感光方式により、デジタルデータとしての画像を感光フィルムに対して記録することも考えられている。感光方式では、感光フィルムを露光した後に現像するというプロセスを経て画像が形成されるため、インクジェット方式や熱転写方式に比べて比較的小型化が容易である。そのため、デジタルカメラに感光方式のプリンタを内蔵し、撮影直後に画像を印刷することができるように構成されたデジタルカメラが製品化しているが、デジタルカメラの携帯性を考慮した場合には、感光方式のプリンタに対してさらなる小型化が要望される。
【０００３】
このような感光方式のプリンタには、たとえば、感光フィルムに対して線状光を照射しつつ、この線状光を走査することにより感光フィルムの全体を露光するためのプリントヘッドが内蔵されている。このようなプリントヘッドは、プリンタの内部においてモータの駆動により移動するように構成されているのが一般的である。また、このようなプリンタには、感光フィルムをプリンタの外部に排出するための排出手段が設けられている。排出手段としては、たとえば、上記モータの駆動により一対のプラテンローラを回転させ、これらの間に挿入された感光フィルムを移動させるものがある。
【０００４】
【発明が解決しようとする課題】
ところで、このようなプリンタでは、感光フィルムとして、現像液保持パックを有するものを使用し、かつこれを一対のプラテンローラの間で狭圧することによって、現像液保持パック内の現像液を押し出してから感光フィルム上において広がらせることにより現像を行うようにされているのが通例である。すなわち、感光型のプリンタでは、感光フィルムに対する現像のための処理が感光フィルムの排出動作と同時に行われ、これにより、感光型のプリンタがインクジェット方式や熱転写方式のものよりも小型化可能とされているのである。
【０００５】
しかしながら、このようなプリンタでは、１つのモータの駆動により、プリントヘッドの移動およびプラテンローラの回転を行なっているため、このモータの駆動力を大きくしなければならない。特に、プラテンローラは、感光フィルムを排出しつつ現像処理を行っているので、プラテンローラを回転させうるトルクは大きくなる。したがって、モータが大型化するとともに、その消費電量が多くなってしまう。
【０００６】
本願発明は、上記した事情のもとで考え出されたものであって、内蔵されるモータとして小型省電力タイプのものを採用しうるプリンタを提供することをその課題とする。
【０００７】
【発明の開示】
上記課題を解決するため、本願発明では、次の技術的手段を講じている。
【０００８】
すなわち、本願発明により提供されるプリンタは、筐体と、この筐体内に収容された感光性記録媒体を露光するためのプリントヘッドと、上記感光性記録媒体を上記筐体の外部に排出するための排出手段と、を備えたプリンタであって、上記排出手段による上記感光性記録媒体の排出動作は、手動により行うことが可能に構成されていることを特徴としている。
【０００９】
上記排出手段は、たとえば、上記感光性記録媒体を狭圧可能な一対のローラと、操作用部材とを備えており、かつ上記操作用部材が一定の操作をなされることにより上記一対のローラが上記感光性記録媒体を搬送可能に回転する構成とされている。
【００１０】
上記操作用部材は、たとえば、ラックが形成され、かつこのラックの形成方向に移動可能な操作バーを備えており、上記一対のローラは、上記ラックとかみ合うピニオンギヤに連結され、上記操作バーが移動操作されることにより回転可能である。
【００１１】
上記感光性記録媒体は、たとえば、上記一対のローラの一側方にセッティングされるように構成されており、上記排出手段は、上記操作用部材の操作によって一定方向に移動し、かつこの移動時には上記感光性記録媒体を上記一対のローラ間に送り込むように上記感光性記録媒体の搬送動作を行う可動部材をさらに備えている。
【００１２】
上記プリンタは、たとえば、上記プリントヘッドを上記感光性記録媒体の面方向に移動させるためのモータを備えている。
【００１３】
本願発明のその他の特徴および利点については、以下に行う発明の実施の形態の説明から、より明らかになるであろう。
【００１４】
【発明の実施の形態】
以下、本願発明の好ましい実施の形態について、図面を参照して具体的に説明する。
【００１５】
図１は、本願発明に係るプリンタの一例を示す概略斜視図、図２および図４は、図１のプリンタの内部構造を示す図、図３は、感光性記録媒体の一例を示す断面図である。図５、図６および図７は、図４のＶ−Ｖ線、ＶＩ−ＶＩ線およびＶＩＩ−ＶＩＩ線に沿う断面図である。図８は、図１における操作用部材を拡大して示す概略斜視図図９は、図１におけるスライダを拡大して示す概略斜視図である。また、図１０（ａ）ないし図１０（ｃ）は、図１における排出手段の動作を説明するための一連の側面図である。なお、図２は、その上下方向を図１とは逆向きに示している。
【００１６】
図１に示すプリンタ１は、筐体２と、パック収容部３Ａと、プリントヘッド４と、排出手段５とを備えている。
【００１７】
筐体２は、図１に示すように、開口部２１を有しており、この開口部２１が蓋２２により開閉可能とされている。蓋２２には、一対の凸部２２１が設けられている。筐体２の側壁２３ａには、図１および図４に示すように、露光した感光フィルム３０を排出するための排出口２３１が形成されている。
【００１８】
パック収容部３Ａは、筐体２内にフィルムパック３を収容するための部分であり、開口部２１の下方に位置している。パック収容部３Ａは、図示されていない支持部材によりフィルムパック３を安定して支持できるようになっている。パック収容部３Ａは、後述する一対のプラテンローラ７ａ，７ｂの一側方から離間して設けられている。
【００１９】
フィルムパック３は、図２に示すように、ケース３１の内部に複数の感光フィルム３０を収容したものである。感光フィルム３０は、支持台３１１上に載置されている。支持台３１１は、板バネ部材３１２により付勢されている。
【００２０】
ケース３１には、図１および図２に示すように、第１ないし第３開口部３１３，３１４，３１５、および切り欠き３１０が形成されている。第１開口部３１３は、プリントヘッド４を感光フィルム３０に対して直接対面させるためのものであって、プリントヘッド４が第１開口部３１３内を矢印ＡＢ方向に移動可能な大きさとされている。第２開口部３１４は、蓋２２の凸部２２１に対応した部位に設けられている。すなわち、蓋２２により筐体２の開口部２１を閉鎖すれば、図２に示すように、凸部２２１が第２開口部３１４を介してケース３１内に挿入される。これにより、支持台３１１に対して第１開口部３１３側に向けた押圧力が作用する。一方、第３開口部３１５は、ケース３１の側面に設けられており、この第３開口部３１５を介して感光フィルム３０がケースの外部に排出される。第３開口部３１５は、カーテン３１７により覆われており、第３開口部３１５からケース内へのホコリの侵入などが抑制されている。切り欠き３１０は、後述するスライダ６の矢印ＡＢ方向への移動を許容するためのものであって、第１開口部３１３を縁取る枠部３１３′に対して矢印ＡＢ方向に延びるように形成されている。
【００２１】
感光フィルム３０は、図３に示すように、基材３０１上に、感光層３０２および透明カバー３０３を積層した形態を有している。基材３０１、感光層３０２および透明カバー３０３の周縁部は、端部に現像液保持パック３０４を包み込んだ状態で接着シート３０５により覆われている。
【００２２】
このようなフィルムパック３は、図１からわかるように、開口部２１を介して筐体２内外への出し入れが自在とされている。フィルムパック３内に収容された感光フィルム３０を全て使用した場合には、使用済みのケース３１を取り出し、新たなフィルムパック３を装着すればよい。
【００２３】
上記プリントヘッド４は、感光フィルム３０を露光するためのものであって、図５にその一例を示すように、フレーム４１に対して、発光素子アレイ４２、反射部材４３、ロッドレンズアレイ４４およびプリズム４５を保持させた構成を有している。
【００２４】
フレーム４１には、後述する透明基板４２１が載置される載置部４１１と、反射部材４３を保持するための第１保持部４１２と、ロッドレンズアレイ４４を保持するための第２保持部４１３と、プリズム４５を保持するための凹部４１４とが設けられている。
【００２５】
発光素子アレイ４２は、長矩形状の透明基板４２１上に複数の発光素子４２２が主走査方向（各図における矢印ＣＤ方向）に並んだものとして構成されている。各発光素子４２２は、たとえば、副走査方向（各図における矢印ＡＢ方向）に並ぶ赤色発光部４２２Ｒ、緑色発光部４２２Ｇおよび青色発光部４２２Ｂを有しており、各発光部４２２Ｒ，４２２Ｇ，４２２Ｂが駆動ＩＣ４２３などにより個別に発光させられるように構成されている。各発光素子４２２（各色の発光部）としては、たとえば発光ダイオードや有機ＥＬ発光素子などが用いられている。
【００２６】
反射部材４３は、各発光素子４２１からの光をロッドレンズアレイ４４に向けて反射させるためのものであって、その反射面は光のミラー反射が可能な鏡面とされている。
【００２７】
ロッドレンズアレイ４４は、たとえば、列状に形成された複数のロッドレンズ４４ａを細長なブロック状のホルダ４４ｂに保持させたものである。ロッドレンズアレイ４４は、各ロッドレンズ４４ａが主走査方向ＣＤ（図４参照）に並ぶように、かつ各ロッドレンズ４４ａの軸心が矢印ＡＢ方向（副走査方向）に延びるように配置されている。
【００２８】
プリズム４５は、光入射面４５１と、光反射面４５２と、光出射面４５３とを有しており、空気よりも屈折率の大きな材料、たとえば透明なガラスやアクリル系樹脂などにより形成されている。このプリズム４５は、ロッドレンズアレイ４４を通ることにより副走査方向ＡＢに進行する光が、光入射面４５１から入射した後、光反射面４５２において反射して進行方向が９０度変えられて光出射面４５３から出射することにより、感光フィルム３０に向けて照射されるように構成されている。このプリズム４５には、凸部４５４が設けられており、この凸部４５４がフレーム４１の上記凹部４１４に嵌合することによりフレーム４１に対して固定される。
【００２９】
このようなプリントヘッド４は、プリズム４５の光出射面４５３から線状光を照射するが、この線状光を感光フィルム３０の感光層３０２の全域に対して照射するために、図４および図６に示すように、ヘッド移動手段９によって副走査方向ＡＢにスライド移動させられるようになっている。このヘッド移動手段９は、駆動ロッド９１と、ガイドロッド９２と、モータ９３とを有している。
【００３０】
駆動ロッド９１およびガイドロッド９２は、筐体２内において、副走査方向ＡＢに延びるように、その両端が支持されている。駆動ロッド９１は、モータ９３に対してギヤ９３１，９３２，９３３，９３４を介して接続されており、モータ９３の駆動により回転するようになっている。この駆動ロッド９１の周面には送りねじ９１ａが形成されている一方、ガイドロッド９２の周面は比較的滑らかとされている。プリントヘッド４は、主走査方向ＣＤにおける一端部および他端部に形成された雌ねじ９１１および孔部９２１を有しており、送りねじ９１ａと雌ねじ９１１とが螺合し、かつガイドロッド９２が孔部９２１に挿通することによって支持されている。したがって、モータ６３が駆動して駆動ロッド９１が回転した際に、雌ねじ９１１が駆動ロッド９１上を移動する。すなわち、プリントヘッド４は、モータ９３の駆動によって副走査方向にスライド移動する。
【００３１】
なお、上記プリントヘッド４では、複数の発光素子４２を並べることにより線状に光を出射させ、かつ、各発光素子４２の各発光部４２２Ｒ，４２２Ｇ，４２２Ｂを個別に発光させることによって露光制御が行われる構成とされているが、たとえば、発光源として各発光部４２２Ｒ，４２２Ｇ，４２２Ｂを有する単体の発光素子を用い、かつ、この発光素子からの光を、点状光源から入射した光を線状光として出射可能な導光体と、個別に開閉動作可能な複数のシャッタ部が並べて配置された液晶シャッタと、を介して出射させることによって露光制御が行われる構成とすることもできる。
【００３２】
また、上記プリントヘッド４は、発光素子４２１からの光を、反射部材４３およびプリズム４５の光反射面４５２で反射させることにより、感光フィルムに向けて出射するように構成されているが、各ロッドレンズ４４ａの軸心が矢印ＥＦ方向に延びるようにしてロッドレンズアレイ４４を発光素子４２１の下部に配置することによって、発光素子４２１からの光を直接的に感光フィルムに向けて出射するように構成されていてもよい。
【００３３】
上記排出手段５は、感光フィルム３０を排出するためのものであって、手動により感光フィルム３０の排出動作を行うように構成されている。具体的には、この排出手段５は、図１に示すように、操作用部材８と、一対のプラテンローラ７ａ，７ｂと、スライダ６とを備えている。
【００３４】
操作用部材８は、図１、図４および図８に示すように、棒状の操作バー８１と、この操作バー８１の先端に設けられた把持部８２とを有している。操作バー８１は、図８に示すように、全体として略直方体状を呈しており、その下面８１ａには、感光フィルム３０の排出方向ＡＢに延びるラック８１１が形成されている。この操作バー８１は、このプリンタ１の利用者が操作用部材８を操作する前の初期状態において、筐体２内に配置されている。より詳細には、操作バー８１は、図７に示すように、その側面がスライダ６の後述する側板６３に対面した状態で筐体２の側壁２３ｂに形成したガイド溝２６内に配置されている。操作バー８１は、このガイド溝２６に沿って移動可能とされている。
【００３５】
把持部８２は、プリンタ利用者が操作用部材８を操作する際に把持する部分であって、図８に示すように、たとえば、板状体に対して、プリンタ利用者の指が挿入しうる貫通孔８２１を設けた構成とされている。この把持部８２は、図１および図４に示すように、筐体２の外部に配置され、外観上、筐体２から大きく突出しないように、図４および図８に示すように、筐体２の側壁２３ａに対面するように回動可能な構造となっている。このような操作用部材８に対して、プリンタ利用者は、感光フィルム３０を排出する際には、把持部８１を摘んで操作バー８１を筐体２内から引き出すように操作する。
【００３６】
上記一対のプラテンローラ７ａ，７ｂは、図４に示すように、筐体２における上記排出口２３１の近傍に備えられており、その軸が矢印ＣＤ方向に延びるように支持されている。各プラテンローラ７ａ，７ｂは、図６に示すように、互いにかみ合う一対の歯車７１ａ，７１ｂによって一端部どうしが駆動連結されており、互いに逆方向に回転可能とされている。この一対のローラ７ａ，７ｂは、操作バー８１の移動にともなうラック８１の変位と連動して回転するピニオンギヤ７２を介して回転するように構成されている。本実施形態では、ピニオンギヤ７２は、図８に示すように、一対のプラテンローラ７ａ，７ｂのうちの一方、すなわちプラテンローラ７ｂの他端部に対して、これと同軸に設けられている。
【００３７】
この一対のプラテンローラ７ａ，７ｂは、後述するようにして、これらの間の感光フィルム３０を排出していくが、この際に感光フィルム３０を狭圧できるようになっている。
【００３８】
上記スライダ６は、本願発明でいう可動部材の一例であり、操作用部材８の操作に連動して感光フィルム３０の平面方向（ここでは副操作方向ＡＢ）にスライド移動可能とされており、これにより、図１０（ｂ）に示すように、感光フィルム３０を移動させてその端部を一対のプラテンローラ７ａ，７ｂ間に挿入できるようになっている。このスライダ６は、図９に示すように、矩形状の底板６１における互いに対向する端縁に作用板６２および側板６３を立設させた構造とされている。
【００３９】
作用板６２は、図９に示すように、感光フィルム３０の端縁に当接しうるフック６２１を有しており、スライダ６のスライド移動の際には、このフック６２１が感光フィルム３０を押圧することによりこれを移動させる。また、この作用板６２には、スライダ６のスライド移動の方向に対して傾斜するとともにその端部がフック６２１内に通じる傾斜面６２２が設けられており、この傾斜面６２２に沿って感光フィルム３０が相対的に移動することにより、感光フィルム３０の端縁がフック６２１に当接し易いようになっている。
【００４０】
このスライダ６は、図２および図７に示すように、筐体２内において、フィルムパック３のケース３１における上記枠部３１３′の一部を作用板６２と側板６３との間で挟むようにして設置されている。このとき、側板６３は、ケース３１の外部に配置される。一方、作用板６２は、ケース３１内に配置されるとともに、スライド移動する際にはケース３１に形成された上記切り欠き３１０を通過するようになっている。
【００４１】
また、スライダ６には、図９に示すように、側板６３の下部表面から突出するガイド板６４が設けられている一方、筐体２の側壁２３ｂには、図７に示すように、凹状溝２４が形成されており、スライダ６は、ガイド板６４が凹状溝２４内を通ることにより、スライド移動が安定化されている。また、スライダ６は、筐体２の側壁２３ｂを覆うカバー２５と側壁２３ｂの壁面との間で側板６３が狭持されるように設置されており、ガイド板６４が凹状溝２４から脱落するのが防止されている。
【００４２】
このスライダ６は、感光フィルム３０の端部を一対のプラテンローラ７ａ，７ｂ間に挿入させる挿入位置をとるとき、スライド移動前の初期位置に向かう方向に付勢されている。具体的には、スライダ６は、図９に示すように、側板６３における作用板６２とは反対側の面（平坦面６３ａ）から突出した糸保持部６３１を有しており、この糸保持部６３１には、図７および図１０（ａ）に示すように、糸状体６４の一端が接続されている。一方、糸状体６４の他端は、図１０（ａ）ないし図１０（ｃ）に示すように、筐体２の側壁２３ｂ内に収容され（図７参照）かつ矢印ＡＢ方向に伸縮する付勢体６５に接続されている。この糸状体６４は、スライダ６が上記挿入位置をとるとき、付勢体６５を引っ張ることにより付勢体６５に付勢力を生じさせ、これにより、スライダ６を上記初期方向に向かう方向に付勢する。また、糸状体６４の長さは、自然状態にある付勢体６５と初期位置にあるスライダ６との間の距離と同等とされており、付勢されたスライダ６が初期位置まで戻ってくることが可能となるようになっている。
【００４３】
また、スライダ６は、上記初期位置と上記挿入位置との間の中間位置をとるときには操作用部材８と連結されている一方、上記挿入位置をとるときには上記操作用部材８との間の連結状態が解除される構造とされている。このような構造は、スライダ６の側板６３、操作用部材８の操作バー８１、および筐体２の側壁２３ｂにそれぞれ設けられた突起６３２、凸部８１２、およびカム状部２３１により構成されている。
【００４４】
突起６３２は、図９に示すように、側板６３の平坦面６３ａから矢印ＣＤ方向に突出するように形成されている。この突起６３２は、垂直方向に拡がる垂直面６３２ａと、側板６３の平坦面６３ａに垂直でありかつ矢印ＡＢ方向に対して傾斜した傾斜面６３２ｂとを有している。垂直面６３２ａは、矢印Ｂ方向を向いている。傾斜面６３２ｂは、矢印Ａ方向から近接してくる凸部８１２に当接して、この凸部８１２を下方に押し下げうるように構成されている。
【００４５】
凸部８１２は、図８に示すように、操作バー８１の上面８１ｂから上方に突出するように形成されており、垂直方向に拡がる当接面８１２ａを有している。また、操作バー８の端部には切り欠き８１３が設けられており、これにより、凸部８１２が弾性的に上下動できるようになっている。凸部８１２は、図９に示すように、自然状態にあるときには当接面８１２ａが突起６３２の垂直面６３２ａと当接しうる一方、図１０（ｂ）に示すように、下方に移動した際には突起６３２とは当接しないようになっている。また、凸部８１２の矢印Ｄ方向における先端部８１２ｂは、スライダ６と操作バー８１とが筐体２内にセットされた状態において、図９に示すように、突起６３２の先端から矢印Ｄ方向にはみ出している。
【００４６】
カム状部２３１は、図７に示すように、筐体２の側壁２３ｂにおける上記ガイド溝２６内において、凸部８１２の上記先端部８１２ｂのみに当接しうるように形成されている。カム状部２３１における凸部８１２側の端面２３１ａは、図８および図１０（ａ）に示すように、傾斜面２３１ａとされており、操作バー８１がガイド溝２６内を移動して凸部８１２がカム状部２３１に当接した際に、凸部８１２を下方に移動させるようになっている。このカム状部２３１の傾斜面２３１ａは、スライダ６が上記挿入位置をとるとき、凸部８１が当接する位置に配置されている。
【００４７】
このようなスライダ６は、上記初期位置をとるとき、図１０（ａ）に示すように、突起６３２の垂直面６３２ａが操作バー８１における凸部８１２の当接面８１２ａ（図９参照）と当接するように配置されている。したがって、操作バー８１が矢印Ａ方向に移動した際には、スライダ６は操作バー８１とともに移動することができる。すなわち、スライダ６は、上記中間位置をとるとき操作用部材８と連結された状態にある。この状態から操作バー８１を矢印Ａ方向にさらに移動させて、スライダ６が挿入位置までくると、図１０（ｂ）に示すように、凸部８１２の先端部８１２ｂがカム状部２３１の傾斜面２３１ａに当接することによって、凸部８１２が下方に押し下げられる。したがって、スライダ６における突起６３２の垂直面６３２ａと、操作バー８１における凸部８１２の当接面８１２ａとが当接不能になり、これにより、図１０（ｃ）に示すように、操作バー８１が矢印Ａ方向にさらに移動しても、スライダ６が操作バー８１とともに移動不能となる。すなわち、スライダ６は、挿入位置をとるとき操作用部材８との連結状態が解除された状態となる。
【００４８】
次に、上記構成を有するプリンタ１の作用について説明する。
【００４９】
まず、上記プリンタ１がプリント動作をする際、プリントヘッド４は、モータ９３の駆動により移動することによって、感光フィルム３０の感光層３０２に対して線状光を照射しつつ走査する。これにより感光フィルム３０が露光される。このとき、スライダ６は、図１０（ａ）に示すように、上記初期位置にあり、操作バー８１と連結された状態にある。
【００５０】
次いで、露光が完了した感光フィルム３０を現像するため、プリンタ利用者は、把持部８２をつまんで操作バー８１を筐体２から引き出すようにして操作用部材８を操作する。このとき、スライダ６は、上記したように、操作バー８１と連結された状態にあるので、作用板６２のフック６２１が感光フィルム３０の端面を押すことにより、感光フィルム３０が一対のプラテンローラ７ａ，７ｂに向かって移動する。
【００５１】
さらに、操作用部材８を操作すると、やがて、図１０（ｂ）に示すように、感光フィルム３０の端部が一対のプラテンローラ７ａ，７ｂ間に挿入される。ここで、スライダ６は、上記挿入位置をとるので、上述したように、操作用部材８との連結状態が解除される。このとき、スライダ６は、付勢体６５により付勢されているので、初期位置に向かう方向に移動し、付勢体６５が自然状態に戻った際には、初期位置をとる。
【００５２】
一方、プラテンローラ７ａ，７ｂは、操作用部材８の操作により回転するので、操作用部材８の操作を続けることにより、一対のプラテンローラ７ａ，７ｂ間の感光フィルム３０をフィルムパック３から引き出しつつ搬送し、図１０（ｃ）に示すように、排出口２３１を介して筐体２の外部まで感光フィルム３０を排出させることができる。
【００５３】
この間、一対のプラテンローラ７ａ，７ｂは、感光フィルム３０を狭圧しているので、これにより、感光フィルム３０の現像液保持パック３０４から現像液を押し出し、この現像液を感光フィルム３０の感光層３０２の全面に拡げることができる。これにより、感光フィルム３０の感光層３０２に画像が形成される。
【００５４】
感光フィルム３０の排出が完了したプリンタ１を初期状態にするためには、操作バー８１を筐体２内に押し込むようにして操作用部材８を操作するだけでよい。すなわち、操作バー８１は、上記した操作により初期位置まで戻ったスライダ６に近接していく。やがて、操作バー８１の凸部８１２が、スライダ６における突起６３２に形成した上記傾斜面６３２ｂ（図９参照）に当接すると、この傾斜面６３２ｂに沿って凸部８１２が弾性的に下降し、これにより、凸部８１２が突起６３２の下を通過できるようになる。その後、突起６３２の下を通過した凸部８１２は、突起６３２に対する当接状態が解消されることによって自動的に上方に移動し、元の状態に戻る。
【００５５】
上述したように、上記プリンタ１では、一対のプラテンローラ７ａ，７ｂを回転させることにより、感光フィルム３０を筐体２の外部に排出しつつ感光フィルム３０を現像するようになっているので、プラテンローラ７ａ，７ｂを回転させるために比較的大きなトルクが必要とされる。しかしながら、このプリンタ１では、上記排出手段５により、一対のプラテンローラ７ａ，７ｂの回転動作を手動によって行うことができるので、従来技術とは異なり、プリントヘッド４を移動させるモータ６３を利用して一対のプラテンローラ７ａ，７ｂを回転させる必要はない。したがって、このモータ６３は、さほど大きなトルクを発生させなくてもよい。すなわち、上記モータ６３として小型省電力タイプのものを採用することができる。
【００５６】
しかも、排出手段５の操作は、操作バー８１が筐体２内から引き出されるようにして操作用部材８を操作するという直線的なものであるため、これを容易とすることができるとともに、比較的小さな操作力で、一対のプラテンローラ７ａ，７ｂに大きなトルクを与えることができる。
【００５７】
また、上記排出手段５には、操作用手段８の操作と連動して感光フィルム３０の端部を一対のプラテンローラ７ａ，７ｂ間に挿入させるように移動するスライダ６が内蔵されている。すなわち、このスライダ６は、プラテンローラ７ａ，７ｂに感光フィルム３０を排出させるために、プラテンローラ７ａ，７ｂに感光フィルム３０をセットしているのであり、このような動作は、操作用手段８の操作と連動している。したがって、感光フィルム３０を筐体２の外部に排出させるための一連の動作は、操作用手段８を操作するだけで行われるので、これを極めて容易なものとすることができる。
【００５８】
しかも、スライダ６は、感光フィルム３０の端部を一対のプラテンローラ７ａ，７ｂ間に挿入させたあと、元の位置に自動復帰するように構成されているので、排出手段５の操作は、極めて容易となる。
【００５９】
もちろん、本願発明は、上述した実施形態に限定されるものではなく、特許請求の範囲に記載した事項の範囲内でのあらゆる設計変更はすべて本願発明の範囲に含まれる。たとえば、上記した実施の形態では、ラック８１１と連動するピニオンギヤ７２は、プラテンローラ７ｂの端部に設けられているが、これに限ることはなく、ピニオンギヤ７２とプラテンローラ７ｂとの間に、他のギヤを配置することもできる。
【００６０】
また、上記一対のプラテンローラ７ａ，７ｂを回転させる機構として、一対のプラテンローラ７ａ，７ｂの軸を筐体２の外部に延出させ、その先端にクランク状のハンドルを設けたものとしてもよい。この場合、このハンドルを手で回動させることによって、一対のプラテンローラ７ａ，７ｂを回転させることができる。
【図面の簡単な説明】
【図１】本願発明に係るプリンタの一例を示す概略斜視図である。
【図２】図１のプリンタの内部構造を示す断面図である。
【図３】感光性記録媒体の一例を示す断面図である。
【図４】図１のプリンタの内部構造を示す概略平面図である。
【図５】図４のＶ−Ｖ線に沿う断面図である。
【図６】図４のＶＩ−ＶＩ線に沿う断面図である。
【図７】図４のＶＩＩ−ＶＩＩ線に沿う断面図である。
【図８】図１における操作用部材を拡大して示す概略斜視図である。
【図９】図１におけるスライダを拡大して示す概略斜視図である。
【図１０】（ａ）ないし（ｃ）は、図１における排出手段の動作を説明するための一連の側面図である。
【符号の説明】
１　　　　　プリンタ
２　　　　　筐体
４　　　　　プリントヘッド
５　　　　　排出手段
６　　　　　スライダ（可動部材）
７ａ，７ｂ　一対のプラテンローラ（一対のローラ）
８　　　　　操作用部材
３０　　　　感光フィルム（感光性記録媒体）
７２　　　　ピニオンギヤ
８１　　　　操作バー
８１１　　　ラック
【図１】
2004017620.tif 000003
【図２】
2004017620.tif 000004
【図３】
2004017620.tif 000005
【図４】
2004017620.tif 000006
【図５】
2004017620.tif 000007
【図６】
2004017620.tif 000008
【図７】
2004017620.tif 000009
【図８】
2004017620.tif 000010
【図９】
2004017620.tif 000011
【図１０】
2004017620.tif 000012